【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
ａ）液状炭化水素のサンプルをガスクロマトグラフィーシステム内に導入し、それにより前記サンプルのガスクロマトグラフィーレポートを得ること；および
ｂ）前記液状炭化水素中のピロリジノンの存在を前記ガスクロマトグラフィーレポートを用いて確認すること
を含む、ピロリジノンを含むガスクロマトグラフィー用識別剤を含有している液状炭化水素を同定する方法。
【請求項２】
前記液状炭化水素が分光分析用識別剤をさらに含んでおり：
ｃ）前記液状炭化水素の第２のサンプルを分光学的に分析し、それにより前記第２のサンプルの分光分析レポートを得ること；および
ｄ）前記液状炭化水素中の前記分光分析用識別剤の存在を前記分光分析レポートを用いて確認すること
をさらに含む、請求項１に記載の方法。
【請求項３】
ａ）ピロリジノンを含むガスクロマトグラフィー用識別剤を、市場に流通している液状炭化水素のサブセットに添加すること；
ｂ）前記市場に流通している前記液状炭化水素のうちの１種類のサンプルを選出すること；
ｃ）前記市場に流通している前記液状炭化水素のうちの１種類の前記サンプルの少なくとも一部分をガスクロマトグラフィーシステム内に導入し、それにより前記サンプルのガスクロマトグラフィーレポートを得ること；および
ｄ）前記サンプル中の前記ピロリジノンの有無を前記ガスクロマトグラフィーレポートを用いて確認し、それにより前記サンプルが液状炭化水素の前記サブセットの範囲内であるのか前記サブセットの範囲外であるのかを確認すること
を含む、市場に流通している液状炭化水素のサブセットに識別剤を添加し、前記識別剤添加の存在を検出する方法。
【請求項４】
ｅ）分光分析用識別剤を、前記市場に流通している前記液状炭化水素の前記サブセットに添加すること；
ｆ）前記市場に流通している前記液状炭化水素のうちの１種類の前記サンプルの少なくとも第２の一部分を分光学的に分析し、それにより前記サンプルの分光分析レポートを得ること；および
ｇ）前記サンプル中の前記分光分析用識別剤の有無を前記分光分析レポートを用いて確認し、それにより前記サンプルが液状炭化水素の前記サブセットの範囲内であるのか前記サブセットの範囲外であるのかを確認すること
をさらに含む、請求項３に記載の方法。
【請求項５】
ロンダリングされた識別剤含有液状炭化水素を同定する方法であって、ロンダリングされていない識別剤含有液状炭化水素はガスクロマトグラフィー用識別剤と分光分析用識別剤を含有しており、前記ガスクロマトグラフィー用識別剤がピロリジノンを含むものであり：
ａ）ロンダリングされたことが疑われる液状炭化水素サンプルの第１の一部分をガスクロマトグラフィーシステム内に導入し、それにより前記液状炭化水素サンプルのガスクロマトグラフィーレポートを得ること；
ｂ）前記液状炭化水素サンプルの第２の一部分を分光学的に分析し、それにより前記液状炭化水素サンプルの分光分析レポートを得ること；
ｃ）前記ガスクロマトグラフィー用識別剤の有無を前記ガスクロマトグラフィーレポートを用いて確認し、
前記分光分析用識別剤の有無を前記分光分析レポートを用いて確認すること
を含み；
ｄ）工程ｃ）の確認に基づいて：
前記ガスクロマトグラフィー用識別剤および前記分光分析用識別剤が存在していると確認されたならば、前記液状炭化水素サンプルが識別剤を含有しており、ロンダリングされていないことを示し；
前記ガスクロマトグラフィー用識別剤が存在していると確認され、前記分光分析用識別剤が存在しないと確認されたならば、前記液状炭化水素サンプルが識別剤を含有しており、ロンダリングされていることを示し；
前記ガスクロマトグラフィー用識別剤および前記分光分析用識別剤が存在しないと確認されたならば、前記液状炭化水素が識別剤無含有であることを示す、
方法。
【請求項６】
前記分光分析用識別剤が赤色色素または黄色色素である、請求項２〜５のいずれか１項に記載の方法。
【請求項７】
前記分光分析用識別剤がＳｏｌｖｅｎｔ  Ｒｅｄ  １６４またはＳｏｌｖｅｎｔ  Ｙｅｌｌｏｗ  １２４である、請求項６に記載の方法。
【請求項８】
前記分光分析用識別剤がフタレインである、請求項２〜５のいずれか１項に記載の方法。
【請求項９】
前記ピロリジノンが１−アルキル−２−ピロリジノンまたは１−アルケニル−２−ピロリジノンである、請求項１〜８のいずれか１項に記載の方法。
【請求項１０】
前記ピロリジノンが前記１−アルキル−２−ピロリジノンである、請求項９に記載の方法。
【請求項１１】
前記ピロリジノンが、１−メチル−２−ピロリジノン、１−エチル−２−ピロリジノン、１−シクロヘキシル−２−ピロリジノン、１−オクチル−２−ピロリジノン、１−ドデシル−２−ピロリジノンおよびその組合せからなる群より選択される、請求項１０に記載の方法。
【請求項１２】
前記ピロリジノンが１−メチル−２−ピロリジノンである、請求項１１に記載の方法。
【請求項１３】
前記ピロリジノンが１−エチル−２−ピロリジノンである、請求項１１に記載の方法。
【請求項１４】
前記ピロリジノンが１−シクロヘキシル−２−ピロリジノンである、請求項１１に記載の方法。
【請求項１５】
前記ピロリジノンが１−オクチル−２−ピロリジノンである、請求項１１に記載の方法。
【請求項１６】
前記ピロリジノンが１−ドデシル−２−ピロリジノンである、請求項１１に記載の方法。
【請求項１７】
前記ピロリジノンが前記１−アルケニル−２−ピロリジノンである、請求項９に記載の方法。
【請求項１８】
前記ピロリジノンが１−ビニル−２−ピロリジノンである、請求項１７に記載の方法。
【請求項１９】
ピロリジノンを含むガスクロマトグラフィー用識別剤；および
溶媒
を含む識別剤組成物であって、
前記ピロリジノンが１−アルキル−２−ピロリジノンまたは１−アルケニル−２−ピロリジノンであり、前記１−アルキル−２−ピロリジノンが、３〜７個の炭素原子、９〜１１個の炭素原子もしくは１３〜２４個の炭素原子を有する非環状アルキル基または４〜２４個の炭素原子を有するシクロアルキル基を含むものであり、前記１−アルケニル−２−ピロリジノンが、２〜２４個の炭素原子を有するアルケニル基を含むものである識別剤組成物。
【請求項２０】
分光分析用識別剤をさらに含む、請求項１９に記載の識別剤組成物。
【請求項２１】
ピロリジノンを含むガスクロマトグラフィー用識別剤；および
分光分析用識別剤
を含む識別剤組成物であって、
前記ピロリジノンが１−アルキル−２−ピロリジノンまたは１−アルケニル−２−ピロリジノンであり、前記１−アルキル−２−ピロリジノンが、３〜７個の炭素原子、９〜１１個の炭素原子もしくは１３〜２４個の炭素原子を有する非環状アルキル基または４〜２４個の炭素原子を有するシクロアルキル基を含むものであり、前記１−アルケニル−２−ピロリジノンが、２〜２４個の炭素原子を有するアルケニル基を含むものである識別剤組成物。
【請求項２２】
前記ピロリジノンが１−アルキル−２−ピロリジノンである、請求項１９〜２１のいずれか１項に記載の識別剤組成物。
【請求項２３】
前記ピロリジノンが１−オクタデシル−２−ピロリジノンである、請求項２２に記載の識別剤組成物。
【請求項２４】
前記１−アルキル−２−ピロリジノンが１−シクロヘキシル−２−ピロリジノンである、請求項２２に記載の識別剤組成物。
【請求項２５】
前記ピロリジノンが１−アルケニル−２−ピロリジノンである、請求項１９〜２１のいずれか１項に記載の識別剤組成物。
【請求項２６】
前記ピロリジノンが１−ビニル−２−ピロリジノンである、請求項２５に記載の識別剤組成物。
【請求項２７】
前記分光分析用識別剤が赤色色素または黄色色素である、請求項２０〜２６のいずれか１項に記載の識別剤組成物。
【請求項２８】
前記分光分析用識別剤がＳｏｌｖｅｎｔ  Ｒｅｄ  １６４またはＳｏｌｖｅｎｔ  Ｙｅｌｌｏｗ  １２４である、請求項２７に記載の識別剤組成物。
【請求項２９】
前記分光分析用識別剤がフタレインである、請求項２０〜２６のいずれか１項に記載の識別剤組成物。